(57)【要約】【課題】構造が簡単でありながら、遊びを複雑にし、しかもコスト増を招くことがない形態変化玩具を提供することをその課題とする。【解決手段】以下の要件を備えた形態変化玩具。（イ）個別に形態を変化する５つの形態変化玩具体から構成されていること（ロ）上記形態変化玩具体のうちの１つの形態変化玩具体Ａは、ある形態から腕部２及び脚部３を有するロボット形態に変化すること（ハ）上記形態変化玩具体のうちの他の形態変化玩具体Ｂ、Ｃ、Ｄ、Ｅは、上記ロボット形態の腕部２及び脚部３に着脱自在で、上記ロボット形態の腕及び脚に変化可能に形成されていること【選択図】        図６
2004357926.tif 000002
【特許請求の範囲】
【請求項１】
以下の要件を備えたことを特徴とする形態変化玩具。
（イ）個別に形態を変化する５つの形態変化玩具体から構成されていること
（ロ）上記形態変化玩具体のうちの１つの形態変化玩具体は、ある形態から腕部及び脚部を有するロボット形態に変化すること
（ハ）上記形態変化玩具体のうちの他の形態変化玩具体は、上記ロボット形態の腕部及び脚部に着脱自在で、装着時には上記ロボット形態の腕及び脚に変化可能に形成されていること
【請求項２】
以下の要件を備えたことを特徴とする、請求項１記載の形態変化玩具。
（イ）前記他の形態変化玩具体の一端には、上記ロボット形態の形態変化玩具体の腕部及び脚部に着脱される共通の嵌合凹部を有すること
（ロ）上記他の形態変化玩具体は、該形態変化玩具体の両端が回動可能に構成されており、上記嵌合凹部を有する一端側は、腕形態において回動して前記ロボット形態の形態変化玩具体に装着された際に肩部に相当するように構成され、他端は脚形態において回動して前記ロボット形態の形態変化玩具体の脚部に装着された際にロボット形態の形態変化玩具体の足に相当するように構成されていること
【発明の詳細な説明】
【０００１】
【発明の属する技術分野】
本発明は、ロボット形態に形態変化が可能な形態変化玩具体と、そのロボットの腕と脚にそれぞれ形態変化可能な形態変化玩具体とから構成される形態変化玩具に関する。
【０００２】
【従来技術とその問題点】
従来より、基地や倉庫などの形態からロボット形態に変化する形態変化玩具が多数実施されている。また、１つの玩具に他の玩具を組みつけて大型の玩具体とする形態変化玩具も存在する。いずれも、形態は可逆的に変化するように構成されている。
【０００３】
しかしながら、いずれも一通りの形態変化しかできないから、遊びが単調となり、すぐに飽きてしまうという欠点があった。
【０００４】
しかしまた、遊びを複雑にしようとすれば、構造が複雑となり、部品点数も増えるから、部品の破損やコストアップの要因となる。
【０００５】
【発明が解決しようとする課題】
本発明は上記問題点を解消し、構造が簡単でありながら、遊びを複雑にし、しかもコスト増を招くことがない形態変化玩具を提供することをその課題とする。
【０００６】
【課題を解決するための腕段】
前記課題を解決するため、本発明に係る形態変化玩具は、以下の要件を備えたことを特徴とする。
（イ）個別に形態を変化する５つの形態変化玩具体から構成されていること
（ロ）上記形態変化玩具体のうちの１つの形態変化玩具体は、ある形態から腕部及び脚部を有するロボット形態に変化すること
（ハ）上記形態変化玩具体のうちの他の形態変化玩具体は、上記ロボット形態の腕部及び脚部に着脱自在で、装着時には上記ロボット形態の腕及び脚に変化可能に形成されていること
【０００７】
なお、さらに、以下の要件を備えるように構成してもよい。
（イ）前記他の形態変化玩具体の一端には、上記ロボット形態の形態変化玩具体の腕部及び脚部に着脱される共通の嵌合凹部を有すること
（ロ）上記他の形態変化玩具体は、該形態変化玩具体の両端が回動可能に構成されており、上記嵌合凹部を有する一端側は、腕形態において回動して前記ロボット形態の形態変化玩具体に装着された際に肩部に相当するように構成され、他端は脚形態において回動して前記ロボット形態の形態変化玩具体の脚部に装着された際にロボット形態の形態変化玩具体の足に相当するように構成されていること
【０００８】
【発明の実施の形態】
図１は本発明に係る形態変化玩具に関するもので、この形態変化玩具は５体の形態変化玩具体から構成されている。
【０００９】
上記形態変化玩具体のうち、図１（ａ）（ｂ）に示す形態変化玩具体Ａは、戦車形態から腕部及び脚部を有するロボット形態に変化するように構成されている。すなわち、同図（ａ）は戦車形態を示すものであるが、この玩具体Ａには、ロボット形態時の胴体部１に対して腕部２と脚部３と背部４とが一方向又は複数の方向に作動可能に連結されて乗り物形態となっており、また、胴体部１に対して頭部５が出没可能に設けられている。
【００１０】
そして、戦車形態からロボット形態に変化するときは、同図（ｂ）に示すように、胴体部１に対して腕部２と脚部３と背部４とを所定の方向に作動させ、さらに頭部を突出させればよい。腕部２と脚部３は断面がほぼ正方形で同じ大きさになるように形成されている。
【００１１】
なお、図２はロボット形態時の正面図であるが、図１（ｂ）のものから足のつま先とかかとの部分６を脚部３に折り畳み、かつ手７を腕部２内に没入させた状態を示している。この状態で他の４個の形態変化玩具体と合体できるようになっている。
【００１２】
次に、上記形態変化玩具体のうちの他の形態変化玩具体は、図３（ａ）（ｂ）（ｃ）、図４（ａ）（ｂ）（ｃ）、図５（ａ）（ｂ）（ｃ）及び図６（ａ）（ｂ）（ｃ）に示される４体である。
【００１３】
すなわち、図３に示される形態変化玩具体Ｂは、同図（ａ）に示す戦艦の形態から同図（ｂ）（ｃ）に示す腕部ａ及び脚部ｂに変化可能に構成されている。上記玩具体Ｂは、本体部１０と艦頭部１１と艦尾部１２とから構成され、同図（ｂ）に示されるように、艦尾部１２を支軸１３を中心に直角に回動することによって腕部ａ形態に変化する。このとき、肩に相当する艦尾部１２の中心には嵌合凹部９が開口している。また、艦頭部１１を、同図（ｃ）に示されるように、支軸１４を中心に直角に回動することによって足部となり、全体として脚部ｂ形態に変化する。このときも、脛に相当する艦尾部１２の中心には上記嵌合凹部９が形成されている。
【００１４】
次に、図４に示される形態変化玩具体Ｃは、同図（ａ）に示すヘリコプタの形態から同図（ｂ）（ｃ）に示す腕部ａ及び脚部ｂに変化可能に構成されている。上記玩具体Ｃは、軸２０を中心に開閉回動する運転席２１と折り畳み可能な羽根２２とを供えた本体部２３と後部２４とから構成され、同図（ｂ）に示されるように、本体部２３の先端頭部２５を回動させ、運転席２１を開いて中からこぶし２６を露出させ、尾部２７を折り畳んだ後部２４を支軸２８を中心に直角に回動することによって腕部ａ形態に変化する。このとき、肩に相当する後部２４の中心には嵌合凹部９が形成されている。また、羽根２２を折り畳んだ状態で本体部２３を同図（ｃ）に示されるように、支軸２９を中心に直角に回動することによって足部となり、全体として脚部ｂ形態に変化する。このときも、脛に相当する後部２４の中心には上記嵌合凹部９が開口している。
【００１５】
次に、図５に示される形態変化玩具体Ｄは、同図（ａ）に示す消防車の形態から同図（ｂ）（ｃ）に示す腕部ａ及び脚部ｂに変化可能に構成されている。上記玩具体Ｄは、軸４０を中心に開閉回動する運転席４１を備えた車体本体部４２とはしご４３を備えた車体後部４４とから構成され、同図（ｂ）に示されるように、運転席４１を開いて中からこぶし４５を露出させ、はしごを畳んで車体後部４４を支軸４６を中心に直角に回動することによって腕部ａ形態に変化する。このとき、肩に相当する車体後部４４の中心には嵌合凹部９が形成されている。また、車体本体部４４の後方に突出する連結部４７を、同図（ｃ）に示されるように、支軸４８を中心に直角に回動することによって足部となり、全体として脚部ｂ形態に変化する。このときも、脛に相当する車体後部４４の中心には上記嵌合凹部９が開口している。
【００１６】
次に、図６に示される形態変化玩具体Ｅは、同図（ａ）に示すドリル付き戦車の形態から同図（ｂ）（ｃ）に示す腕部ａ及び脚部ｂに変化可能に構成されている。上記玩具体は、ドリル部５０を備えた車体前部５１と車体後部５２とから構成され、同図（ｂ）に示されるように、車体前部５１に対して車体後部５２を支軸５３を中心に直角に回動することによって腕部ａ形態に変化する。このとき、肩に相当する車体後部５２の中心には嵌合凹部９が形成されている。また、同図（ｃ）に示されるようにドリル部５０を車体前部５１に対して支軸５４を中心に直角に回動することによって足部となり、全体として脚部ｂ形態に変化する。このときも、脛に相当する車体後部５２の中心には上記嵌合凹部９が開口している。
【００１７】
上述のように、図３〜図６に示す形態変化玩具体Ｂ、Ｃ、Ｄ、Ｅはそれぞれ腕部ａおよび脚部ｂの形態に変化するが、それぞれの肩および脛に該当する部分の嵌合凹部９は箱型に形成され、上記ロボット形態になる形態変化玩具体の腕部ａおよび脚部ｂに嵌合可能となるように形成されているものとする。
【００１８】
上記図３〜図６に示される形態変化玩具体はそれぞれ戦艦、ヘリコプタ、消防車およびドリル付き戦車として遊ぶことができるが、さらに、ロボット形態に変化する形態変化玩具体Ａの腕部２又は脚部３に装着して結合合体させることができる。
【００１９】
この場合、各形態変化玩具体は図３（ｂ）、図４（ｂ）、図５（ｂ）および図６（ｂ）に示される腕部ａ形態のときは、それぞれその嵌合凹部９をロボット形態に変化する形態変化玩具体Ａの左又は右の腕部２に嵌合させることにより結合合体させることができる。また、各形態変化玩具体が図３（ｃ）、図４（ｃ）、図５（ｃ）および図６（ｃ）に示される脚部ｂ形態のときは、それぞれその嵌合凹部９をロボット形態に変化する形態変化玩具体Ａの左又は右の脚部３に嵌合させることにより結合合体させることができる。
【００２０】
したがって、例えば、図７に示されるように、ロボット形態に変化する形態変化玩具体Ａの左の腕部２に図４（ｂ）に示すヘリコプタの形態から変化した腕部ａの嵌合凹部９を嵌合させ、右の腕部ａには図５（ｂ）に示す消防車の形態から変化した腕部ａの嵌合凹部９を嵌合させることにより結合合体させることができる。また、ロボット形態に変化する形態変化玩具体Ａの左の脚部３に図６（ｃ）に示すドリル付き戦車の形態から変化した脚部ｂの嵌合凹部９を嵌合させ、さらに、ロボット形態に変化する形態変化玩具体Ａの右の脚部３に図３（ｃ）に示す戦艦の形態から変化した脚部ｂの嵌合凹部９を嵌合させればよい。
【００２１】
また、例えば、図８に示されるように、ロボット形態に変化する形態変化玩具体Ａの左の腕部２に図６（ｂ）に示すドリル付き戦車の形態から変化した腕部ａの嵌合凹部９を嵌合させ、右の腕部２には図３（ｂ）に示す戦艦の形態から変化した腕部ａの嵌合凹部９を嵌合させることにより結合合体させることができる。また、ロボット形態に変化する形態変化玩具体Ａの左の脚部３に図４（ｃ）に示すヘリコプタの形態から変化した脚部ｂの嵌合凹部９を嵌合させ、さらに、ロボット形態に変化する形態変化玩具体Ａの右の脚部３に図５（ｃ）に示す消防車の形態から変化した脚部ｂの嵌合凹部９を嵌合させればよい。
【００２２】
もちろん、同様にして、他の組み合わせも可能である。そして、ロボット形態の形態変化玩具体には新しい形態の腕や脚が形成される。
【００２３】
以上のように、図３〜図６に示す形態変化玩具体は、ロボットに変化する形態変化玩具体に結合させるときは、その左右いずれかの腕部ａにも脚部ｂにも結合させることができ、多数の組み合わせを考えることができる。なお、ロボットに変化する形態変化玩具体の腕部２に結合させるばあい、腕部ａは左右に上げた状態で他の形態変化玩具体の嵌合凹部９に嵌合させるので、結合後に腕ａとなった他の形態変化玩具体がずり落ちることがない。このため、金型の寸法精度は高くなくてもよい。
【００２４】
【発明の効果】
請求項１に係る発明によれば、１つのロボット形態を有する形態変化玩具体の腕及び脚に、他の形態変化玩具を組み付ける際に、他の形態変化玩具は腕にも脚にもすることができるから、遊戯者の好みによって多様な選択をすることができる。このように、構造が簡単でありながら、遊びを複雑にし、しかもコスト増を招くことがない形態変化玩具を提供することができる。
【００２５】
請求項２に係る発明によれば、前記他の形態変化玩具体の一端には、上記ロボット形態の形態変化玩具体の腕部及び脚部に着脱される共通の嵌合凹部を有するので、組み合わせは自由である。また、上記他の形態変化玩具体の端部側は、回動によって肩部になったり、足部になったりするので、より一層簡単な構造で全く異なる部位の形態とすることができる。
【図面の簡単な説明】
【図１】（ａ）（ｂ）は、それぞれ本発明に係る１つの形態変化玩具体の戦車形態とロボット形態の側面図
【図２】上記形態変化玩具体のロボット形態時で、他の形態変化玩具体との合体可能な状態とした時の正面図
【図３】（ａ）（ｂ）（ｃ）はそれぞれ別の形態変化玩具体の戦艦時の側面図、腕部形態時の側面図および脚部形態時の側面図
【図４】（ａ）（ｂ）（ｃ）はそれぞれさらに別の形態変化玩具体のヘリコプタ時の側面図、腕部形態時の側面図および脚部形態時の側面図
【図５】（ａ）（ｂ）（ｃ）はそれぞれ他の形態変化玩具体の消防車時の側面図、腕部形態時の側面図および脚部形態時の側面図
【図６】（ａ）（ｂ）（ｃ）はそれぞれさらに他の形態変化玩具体のドリル付き戦車時の側面図、腕部形態時の側面図および脚部形態時の側面図
【図７】５個の形態変化玩具体の結合合体の一例を示す正面図
【図８】５個の形態変化玩具体の結合合体の他の一例を示す正面図
【符号の説明】
２、ａ  腕部
３、ｂ  脚部
９  嵌合凹部
【図１】
2004357926.tif 000003
【図２】
2004357926.tif 000004
【図３】
2004357926.tif 000005
【図４】
2004357926.tif 000006
【図５】
2004357926.tif 000007
【図６】
2004357926.tif 000008
【図７】
2004357926.tif 000009
【図８】
2004357926.tif 000010